(57)【要約】【課題】外蓋と内蓋とが組み合わされたタンパープルーフ機能を有するキャップにおいて、外蓋本体にタンパープルーフエビデンスバンドを取り付けているブリッジ部が、外蓋と内蓋との組み合わせ時、及び打栓工程時に容易に破断されることのない構造を備えたキャップを提供する。【解決手段】円筒形の口部５を有するボトルＢに使用され、ボトルの口部に挿嵌される内蓋３とその内蓋を覆う形状を備えた外蓋２とが組み合わされたタンパープルーフ型のキャップＣにおいて、内蓋には外周面に雄ねじ形状３１と外方に突出する内蓋係止部３２とを備え、外蓋には雄ねじ形状と螺合するように形成した外蓋本体２５と、外蓋本体に複数のブリッジ部４０を介して取り付けられたタンパープルーフエビデンスバンド２６ｂとを備え、タンパープルーフエビデンスバンドの内周面には、開封時に内蓋係止部に位置的干渉が生じるように形成された外蓋係止部２７を設け、複数のブリッジ部のうち少なくとも一部は外蓋本体とタンパープルーフエビデンスバンドとを結ぶ最短経路より長い経路に沿って形成する。【選択図】　　　図１
2004067175.tif 000002
【特許請求の範囲】
【請求項１】
円筒形の口部を有するボトルに使用され、前記ボトルの口部に挿嵌される内蓋とその内蓋を覆う形状を備えた外蓋とが組み合わされたタンパープルーフ型のキャップであって、
前記内蓋はその外周面に雄ねじ形状と、外方に突出する内蓋係止部とを備え、
前記外蓋は、前記雄ねじ形状と螺合するように形成された外蓋本体と、前記外蓋本体に複数のブリッジ部を介して取り付けられたタンパープルーフエビデンスバンドと、を備え、
前記タンパープルーフエビデンスバンドの内周面には、開封時に前記内蓋係止部に位置的干渉が生じるように形成された外蓋係止部が設けられ、
前記複数のブリッジ部のうち少なくとも一部は、前記外蓋本体と前記タンパープルーフエビデンスバンドとを結ぶ最短経路より長い経路に沿って形成されていることを特徴とするキャップ。
【請求項２】
前記複数のブリッジ部のうち少なくとも一部は、前記外蓋本体と前記タンパープルーフエビデンスバンドとを結ぶ最短経路に対して傾斜をもって形成されていることを特徴とする請求項１に記載のキャップ。
【請求項３】
前記複数のブリッジ部のうち少なくとも一部は、前記組み合わせ時における前記外蓋本体の回転方向に傾けて設けられている請求項２に記載のキャップ。
【請求項４】
前記複数のブリッジ部のうち少なくとも一部は、前記外蓋本体の内周側から前記タンパープルーフエビデンスバンドの外周側の方向に傾けて設けられている請求項２又は３に記載のキャップ。
【請求項５】
前記複数のブリッジ部のうち少なくとも一部は、前記外蓋本体の外周側から前記タンパープルーフエビデンスバンドの内周側の方向に傾けて設けられている請求項２又は３に記載のキャップ。
【請求項６】
前記各ブリッジ部の少なくとも一部分は湾曲する形状に形成されている請求項１〜５のいずれか一項に記載のキャップ。
【請求項７】
前記ブリッジ部を挟んで前記外蓋本体と前記タンパープルーフエビデンスバンドとが互いに対向する部分には、前記タンパープルーフエビデンスバンドの周方向接線に対して、前記外蓋本体と前記タンパープルーフエビデンスバンドとを結ぶ最短経路の方向に傾斜する斜行部が設けられており、前記ブリッジ部が前記外蓋本体に取り付けられている部分は前記ブリッジ部が前記タンパープルーフエビデンスバンドに取り付けられている部分より細く形成されていることを特徴とする請求項１〜６のいずれか一項に記載のキャップ。
【請求項８】
請求項１〜７のいずれか一項に記載されたキャップと、前記ボトルとを備えた容器。
【発明の詳細な説明】
【０００１】
【発明の属する技術分野】
本発明は、いわゆるタンパープルーフ型の容器キャップ及びそのキャップを備えた容器に関する。
【０００２】
【従来の技術】
従来から店頭に陳列されて販売されることの多い食品、飲料、医薬品などのボトル容器には、異物混入行為を未然に防止すべく、開栓するとその行為が分かるように構成されたキャップが採用されている。特に、過剰包装を排して内容物の密封機能とタンパープルーフ機能とを確保する観点から、外蓋と内蓋とを組み合わせたねじ構造のタンパープルーフキャップが多く使用されるようになってきている。このような外蓋と内蓋とを組み合わせたねじ構造のタンパープルーフキャップにおいて、外蓋は外蓋本体と外蓋本体下方にブリッジ部を介してタンパープルーフエビデンスバンドとを有している。開封前においては、外蓋本体とタンパープルーフエビデンスバンドとは、ブリッジ部に連結されて一体となっているが、キャップを反時計回り方向に回転させることによって、両者の間隔が次第に離間され、ついには前記ブリッジ部が破断されて、外蓋本体とタンパープルーフエビデンスバンドとの連結が解かれ、タンパープルーフ性が解除される。
【０００３】
これら外蓋と内蓋とは別個に作製され、螺合されて一体化された後に、いわゆる「打栓」工程によりボトルに取り付けられるものである。
【０００４】
【発明が解決しようとする課題】
しかし、外蓋本体とタンパープルーフエビデンスバンドとを連結して一体化しているブリッジ部は、外蓋と内蓋とを組み合わせる際に破断されやすいという問題があった。また、これらの蓋を組み合わせたキャップをボトル口部へ取り付けるいわゆる打栓工程の際にもブリッジ部が破断されることがあるという問題もあった。ブリッジ部が破断されるとタンパープルーフ性が解除されるので、実質的にその容器を使用した商品の価値が失われてしまうことになる。
【０００５】
そこで、本発明は、外蓋と内蓋とが組み合わされたタンパープルーフ機能を有するキャップにおいて、外蓋本体にタンパープルーフエビデンスバンドを取り付けているブリッジ部が、外蓋と内蓋との組み合わせ時、及び打栓工程時に容易に破断されることのない構造を備えたキャップを提供することを課題とする。
【０００６】
【課題を解決するための手段】
以下、本発明について説明する。なお、本発明の理解を容易にするために添付図面の参照符号を括弧書きにて付記するが、それにより本発明が図示の形態に限定されるものではない。
【０００７】
本発明の第１の態様は、円筒形の口部（５）を有するボトル（Ｂ）に使用され、ボトルの口部に挿嵌される内蓋（３）とその内蓋を覆う形状を備えた外蓋（２）とが組み合わされたタンパープルーフ型のキャップ（Ｃ）であって、内蓋はその外周面に雄ねじ形状（３１）と、外方に突出する内蓋係止部（３２）とを備え、外蓋は雄ねじ形状と螺合するように形成された外蓋本体（２５）と、外蓋本体に複数のブリッジ部（４０）を介して取り付けられたタンパープルーフエビデンスバンド（２６ｂ）とを備え、タンパープルーフエビデンスバンドの内周面には、開封時に内蓋係止部に位置的干渉が生じるように形成された外蓋係止部（２７）が設けられ、複数のブリッジ部のうち少なくとも一部は外蓋本体とタンパープルーフエビデンスバンドとを結ぶ最短経路より長い経路に沿って形成されていることを特徴とするキャップにより前記課題を解決する。
【０００８】
この発明の第一の態様によれば、複数のブリッジ部の少なくとも一部は、外蓋本体とタンパープルーフエビデンスバンドとを、両者間の最短の経路ではなく、それより長い経路に沿って連結している。ブリッジ部が外蓋本体とタンパープルーフエビデンスバンドとの間の最短経路上に形成されている場合、例えば、外蓋本体とタンパープルーフエビデンスバンドとの間の距離を引き離す方向の衝撃、押し縮める方向の衝撃、あるいは両者を前記軸線の周りに互いに反対方向に剪断する衝撃が加えられた場合、その衝撃を吸収する余地が殆どないので、ブリッジ部は破断されやすくなる。これは需要者が容器を開封するという観点からは好都合である反面、製造工程においては外蓋を内蓋へと組み合わせる際（以下において「組み合わせ工程」という。）や、組み合わせた外蓋、内蓋をボトルに打栓する際（以下において「打栓工程」という。）に破断しやすいことへもつながり、その容器を使用した商品が店頭に陳列される以前にタンパープルーフ性を失い、商品価値をゼロにしてしまうことにもつながりかねない。
【０００９】
これに対して本実施態様の様に、ブリッジ部が外蓋本体とタンパープルーフエビデンスバンドとの間の最短経路より長い経路に沿って形成されている場合には、長さに余裕のあるブリッジ部が、これらの衝撃による応力を分散吸収する作用を奏する。すなわち外蓋本体とタンパープルーフエビデンスバンドとの間に衝撃を吸収する機能が付与されて、予期せぬブリッジ部の破断が未然に防止されるので、組み合わせ工程や、打栓工程などの製造工程や流通段階においてタンパープルーフ機能を備えた商品の商品価値を保つことができる。
【００１０】
上記態様において、複数のブリッジ部（４０）のうち少なくとも一部は、外蓋本体（２５）とタンパープルーフエビデンスバンド（２６ｂ）とを結ぶ最短経路に対して傾斜をもって形成されているように構成してもよい。
【００１１】
このように構成した場合、組み合わせ工程や打栓工程においては、ブリッジ部が衝撃を和らげるクッションとして働く。したがってブリッジ部が破断されにくいという利点がある。
【００１２】
また、上記態様において、複数のブリッジ部（４０）のうち少なくとも一部は、外蓋（２）と内蓋（３）との組み合わせ時における外蓋の回転方向に傾けて設けてもよい。ここに「組み合わせ時の回転方向の傾き」とは、外蓋本体とタンパープルーフエビデンスバンドとの間の最短経路を結ぶ２点間に、例えば弾性伸縮部材を張り渡し、タンパープルーフエビデンスバンドを固定しつつ外蓋本体を組み立て時に行う回転方向に回転させた場合に、上記弾性伸縮部材が斜め方向に伸長されて前記最短経路に対してなす傾きをいう。
【００１３】
このように構成した場合、組み合わせ工程や打栓工程においては、ブリッジ部が衝撃を和らげるクッションとして働く。したがってブリッジ部が破断されにくい。また、組み合わせ工程においては、ブリッジ部には伸びる方向の応力がかかるが、外蓋本体とタンパープルーフエビデンスバンドとを結ぶ最短経路にブリッジ部を配設した場合に比較して、ブリッジ部が長く形成されている分伸びに対する余裕があり、破断されにくい。
【００１４】
上記態様において、複数のブリッジ部（４０）のうち少なくとも一部は、開封時の外蓋本体回転方向に傾けて設けられているように構成することもできる。
【００１５】
このように構成した場合にも、組み合わせ工程や打栓工程においてブリッジ部が衝撃を和らげるクッションとして働く。したがってブリッジ部の破断がされにくい。特に組み合わせ工程においては、ブリッジ部は縮む方向の力を受けることになるので、破断されにくい。
【００１６】
更に、上記態様において、複数のブリッジ部（４０）のうち少なくとも一部は、外蓋本体の内周側からタンパープルーフエビデンスバンド（２６ｂ）の外周側の方向に傾けて設けることもできる。
【００１７】
また、複数のブリッジ部（４０）のうち少なくとも一部を外蓋本体の外周側からタンパープルーフエビデンスバンド（２６ｂ）の内周側の方向に傾けて設けてもよい。
【００１８】
これらのように構成した場合にも、組み合わせ工程や打栓工程においては、ブリッジ部が衝撃を和らげるクッションとして働く。したがってブリッジ部が破断されにくい。特に打栓工程において加わる衝撃に対して、応力が径方向及び上下方向のみに分散されて周方向に分散されることが無いので緩衝能力が高く、ブリッジ部の破断がより発生しにくい。
【００１９】
更に上記の諸態様において、各ブリッジ部（４０）の少なくとも一部分を湾曲する形状に形成してもよい。
【００２０】
このように構成すると、個々のブリッジ部に形成された湾曲部も衝撃を吸収することができるので、上記諸態様の構成による衝撃吸収効果と相俟って、更に衝撃を和らげてブリッジ部の破断を未然に防止することができる。
【００２１】
また、上記の諸態様において、ブリッジ部（４０）を挟んで、外蓋本体（２５）とタンパープルーフエビデンスバンド（２６ｂ）とが互いに対向する部分には、タンパープルーフエビデンスバンドの周方向接線に対して、外蓋本体とタンパープルーフエビデンスバンドとを結ぶ最短経路の方向に傾斜する斜行部（２２ａ）を設け、ブリッジ部が外蓋本体に取り付けられている部分を、ブリッジ部がタンパープルーフエビデンスバンドに取り付けられている部分より細く形成してもよい。
【００２２】
このように構成した場合に、ブリッジ部はより細く形成された外蓋本体側で破断されるので、需要者による開封時の操作をより円滑なものとすることができる。
【００２３】
本発明の第二の態様では、上記諸態様のキャップのうち、いずれか一のキャップと、ボトル（Ｂ）とを備えた容器（１）である。
【００２４】
この態様によれば、上記諸態様の効果を備えたキャップを容器に適用することができる。
【００２５】
本発明のこのような作用及び利得は、次に説明する実施の形態から明らかにされる。
【００２６】
【発明の実施の形態】
図１は、ボトルの口部に取り付けられたキャップを示し、中心線をはさんで左側は正面図、右側は直径を通る平面による垂直断面図である。図１に示されるように、本発明の実施形態にかかる容器１は、ボトルＢと、ボトルＢの口部５に挿嵌されている内蓋３と、内蓋３を覆い内蓋３と螺合する外蓋２と、を備えている。
【００２７】
内蓋３には、周状に垂下する２つのスカート部３５、及び３６を備えており、スカート部３５、３６により形成される円筒状の隙間にボトルＢの口部５の上端部が挿嵌されている。内蓋３は、円板状の隔壁部３８を備えている。隔壁部３８は、指掛けリング（不図示）により隔壁３８の除去部（不図示）を取り去ることができるように構成されている。除去部を取り去ると、ボトル１の内容物を注ぎ出す注出孔が開口される。内蓋３の外周面には雄ねじ形状３１が形成されている。
【００２８】
一方、外蓋２は、円板状の天板２３と天板２３の外周から垂下するつまみ部２４と、つまみ部２４の下部に配設されるスカート部２６とを備えている。つまみ部２４の内周面には上記雄ねじ形状３１に螺合可能なように雌ねじ形状２１が形成されている。またスカート部２６の上下方向略中央には、水平方向周状にスリット部２２が形成されている。このスリット部２２によりスカート部２６は、上部スカート部２６ａと下部スカート部２６ｂとに分断されている。上部スカート部２６ａと、下部スカート部２６ｂとは、容器１が開封されていない状態においては、図１のＡ部拡大図に示されているブリッジ部４０により連結されている。ブリッジ部４０は、スリット部２２の周上に、所定数設けられている（本実施形態においては４つ）。内蓋３のスリット部２２に対応する位置には、断面形状が外周方向に凸状に形成されたストッパリング３２が形成されている。一方、下部スカート部２６ｂの上部、すなわちスリット部２２の直下には、前記ストッパリング３２に対応するように係止リング２７が形成されている。係止リング２７は、下部スカート部２６ｂの内周面に更に内周向に凸状に形成されている。
【００２９】
次にスリット部２２の詳細について、図１のＡ部拡大図を参照しつつ説明する。図からも明らかなように、スリット部２２は、上部スカート部２６ａと下部スカート部２６ｂとが形成する隙間であり、この部分には上部スカート部２６ａと下部スカート部２６ｂとを連結するブリッジ部４０が設けられている。また、上部スカート部２６ａがスリット部２２に面する下面側には緩衝突起４１が設けられている。緩衝突起４１の下端と下部スカート部２６ｂの上端との間には、僅かに隙間が設けられている。スリット部２２には、水平方向に対して角度を有する斜行部２２ａが設けられている。
【００３０】
容器１の内部の液体等を注出しようとするときには、まずつまみ部２４を反時計回りにまわす。そうすると外蓋本体２５はねじの螺合形状に沿って上方へと位置を変えようとする。一方外蓋本体２５にブリッジ部４０を介して連結されている下部スカート部２６ｂは、内蓋３の外周部に形成されたストッパリング３２、及び外蓋２の内周部に形成された係止リング２７の協働により上方への移動が規制されている。そこでつまみ部２４をさらに反時計回り方向に回し続けると、外蓋本体２５の下端部と、下部スカート部２６ｂの上端部との間隔が次第に大きくなる。加えて、斜行部２２ａにおいては、下部スカート部２６ｂの斜行面上に上部スカート部２６ａの斜行面が乗り上げる。これにより外蓋本体２５の下端部と、下部スカート部２６ｂの上端部との間隔がさらに大きくなり、ついにはブリッジ部４０が破断されて、一体に連結されていた外蓋本体２５と下部スカート部２６ｂとは切り離され、開封が実現される。すなわち下部スカート部２６ｂは、タンパープルーフエビデンスバンドとして機能し、ブリッジ部４０の破断なきことが異物混入のないことを証明するものである。このようにして、開封が行われた後、さらにつまみ部２４を反時計回り方向に回し続けることにより、外蓋２と内蓋３との螺合を解いて、外蓋２を内蓋３から離脱させることができる。内蓋３を覆っていた外蓋２を取り去ると、内蓋３の指かけリングが露出して、需要者は指かけリングを手がかりとして隔壁３８に形成されている除去部を引き抜いて、注出孔を開口して容器内容物を注ぎ出すことができるようになる。
【００３１】
なお、スリット部２２に設けられている緩衝突起４１は、外蓋本体２５に下向きの衝撃が与えられたときに、下端部が下部スカート部２６ｂの上面に押し当てられることによって、この衝撃を吸収して、ブリッジ部４０が破断されるのを防止する働きを有するものである。
【００３２】
飲料容器として使用される場合、一般的には、外蓋２はポリプロピレン（ＰＰ）、内蓋３はポリエチレン（ＰＥ）を材料として射出成型等の公知の方法にて形成することができる。また、ボトルＢはポリエチレンテレフタレート（ＰＥＴ）などのポリエステルを材料として、ブロー成型により形成することができる。しかし、本発明はこれらに限定されるものではない。
【００３３】
図２は、ブリッジ部４０の第１実施形態、及び第２実施形態を模式的に示す斜視図である。ここではブリッジ部４０は、スカート部２６の外周面に沿って、傾きを持って形成されている。
【００３４】
図２（ａ）は、ブリッジ部の第１実施形態を示す。第１実施形態のブリッジ部４０ａは、外蓋２と内蓋３との組み合わせ工程での外蓋本体２５の回転方向に傾けて設けられている。ここでの「組み合わせ工程での外蓋本体２５の回転方向の傾き」は、図に示す方向、すなわち外蓋本体２５とタンパープルーフエビデンスバンド２６ｂとの間の最短経路上に例えば弾性伸縮部材を張り渡して、外蓋本体２５に組み合わせ工程時の回転を与えた場合に、該弾性伸縮部材が示す方向の傾きである。ブリッジ部４０ａがこのような傾きを持って形成されると、内蓋３と外蓋２との組み合わせ工程や打栓工程において、ブリッジ部４０ａが衝撃を和らげるクッションとして働く。したがってブリッジ部の破断がされにくい。このような傾きの方向にブリッジ部を形成した場合、外蓋２を内蓋３に組み合わせるとき、すなわち内蓋３と外蓋２との組み合わせ工程において、ブリッジ部４０ａは上下の外蓋本体２５及びタンパープルーフエビデンスバンド２６ｂとにより長さ方向斜めに引張力を受ける。この場合、ブリッジ部が外蓋本体２５とタンパープルーフエビデンスバンド２６ｂとの最短経路上に形成されている場合に比較して、ブリッジ部４０ａの長さが長いので、材料の弾性変形あるいは塑性変形により延びる余地が大きく、ブリッジ部４０ａが破断されにくい。
【００３５】
一方、図２（ｂ）は、ブリッジ部の第２実施形態を示す。第２実施形態のブリッジ部４０ｂは、組み合わせ時の外蓋本体回転方向とは逆の方向、すなわち開封時の回転方向に傾けて設けられている。ブリッジ部４０ｂがこのような傾きを持って形成されても、組み合わせ工程や打栓工程において、ブリッジ部４０ｂが衝撃を和らげるクッションとして働く。したがってブリッジ部４０ｂの破断がされにくい。特に組み合わせ工程において、ブリッジ部４０ｂは縮む方向の力を受けることになるので、一層破断されにくい。
【００３６】
図３は、ブリッジ部４０の第３実施形態、及び第４実施形態を模式的に示す斜視図である。ここにおいてブリッジ部４０は、スカート部２６の径方向に、傾きを持って形成されている。
【００３７】
図３（ａ）は、ブリッジ部の第３実施形態を示す。第３実施形態のブリッジ部４０ｃは、外蓋本体２５の内周側からタンパープルーフエビデンスバンド２６ｂの外周側の方向に傾けて設けられている。このように構成しても、外蓋２と内蓋３との組み合わせ工程、及びボトルＢへの打栓工程時にかかる衝撃応力を吸収して、予期せぬ破断を防ぐことができる。なお、このように構成した場合には、本実施形態にかかる容器１が搬送に付される場合に受ける径方向の衝撃応力を吸収して、破断を防ぐという利点もある。
【００３８】
図３（ｂ）は、ブリッジ部の第４実施形態を示す。第４実施形態のブリッジ部４０ｄは、外蓋本体２５の外周側からタンパープルーフエビデンスバンド２６ｂの内周側の方向に傾けて設けられている。このように構成しても、組み合わせ工程、及びボトルへの打栓工程時にかかる衝撃応力を吸収して、予期せぬ破断を防ぐことができる。特に本実施形態のように構成した場合には、打栓工程において破断防止効果が高い。加えて、このように構成した場合には、キャップの製造工程や充填工程で、キャップ搬送のライン特性が良いという利点がある。すなわち、シュートにおいてぶつかり合うとき、本態様のブリッジが緩衝作用を示し破断しにくいので流れ性がよく、また本態様のブリッジが従来のものと全体の径に変化が無いので、ライン改造の必要性が少ない。
【００３９】
図４は、ブリッジ部の他の実施形態を模式的に示す図である。ここでは上部スカート部２６ａ、及び下部スカート部（タンパープルーフエビデンスバンド）２６ｂに挟まれたスリット部２２と、スリット部２２にあって上下の上部スカート部２６ａ及び、下部スカート部２６ｂを連結するブリッジ部４０のみが示されている。
【００４０】
図４（ａ）は、円弧状に形成された第５実施形態のブリッジ部４０ｅを示している。本実施形態においては、各ブリッジ部を形成する円弧は同一方向に凸に配列されているが、本発明においては必ずしもこのように配列する必要はなく、例えば、図４（ｂ）の第６実施形態のブリッジ部４０ｆに示すように、ひとつおきに凸となる向きを入れ替えて配置しても良い。これらのように構成することにより、円弧形状のブリッジ部４０ｅ、４０ｆが上下方向の衝撃応力に対する緩衝材と作用し、特に打栓時の衝撃応力による破断を防止するのに有効である。
【００４１】
図４（ｃ）は、直線状のブリッジ部が、開封方向の向きと組み合わせ方向の向きとに、ひとつおきに傾けられて配置されている第７実施形態のブリッジ部４０ｇを示している。本実施形態のブリッジ部４０ｇは、いわば第１実施形態のブリッジ部４０ａと第２実施形態のブリッジ部４０ｂとを組み合わせたものであり、両者の効果を併せ持つものである。すなわち、組み合わせ工程及び打栓工程いずれにおいても効果的に破断を防止することができる。
【００４２】
図４（ｄ）は、一部に円弧形状が設けられた第８実施形態のブリッジ部４０ｈを示している。この第８実施形態のブリッジ部４０ｈのように構成しても、上下方向の衝撃応力を有効に吸収することができる。
【００４３】
図４（ｅ）は、上部スカート部２６ａ（外蓋本体２５）への取り付け部分が、下部スカート部（タンパープルーフエビデンスバンド）２６ｂへの取り付け部分より細く形成されたブリッジ部４０ｉを示している。このようにブリッジ部を構成した場合、開封時にはブリッジ部４０ｉの破断は上部スカート部２６ａ側でおきるので、開封時の操作がより円滑に行われる。仮に、下部スカート部２６ｂ側で破断された場合、ブリッジ部は上部スカート部２６ａ側に付いて残ることになり、上部スカート部２６ａがさらに反時計回りの回転をすると、ブリッジ部が斜行部２２ａ（図１のＡ部拡大図参照）に乗り上げる形となり、開封時の操作に抵抗を生じるからである。加えて、ブリッジ部が上部スカート部２６ａ側に付いて残ると外蓋２をボトルＢから抜き去ったときに、ブリッジ部が外蓋２の下部端面に突起となって存在することになり、意匠性や需要者の手触り等の観点からも好ましくないからである。
【００４４】
図５は、ブリッジ部のさらに他の実施形態を模式的に示す図である。ここでは上部スカート部２６ａ、及び下部スカート部（タンパープルーフエビデンスバンド）２６ｂに挟まれたスリット部２２と、スリット部２２にあって上下の上部スカート部２６ａと、下部スカート部２６ｂとを連結するブリッジ部４０を、スカート部２６の周上の一点を垂直に切断した場合の断面図で示している。図５における各図の左側が外周側、右側が内周側を表している。
【００４５】
図５（ａ）は、円弧状に形成された第９実施形態のブリッジ部４０ｊを示している。本実施形態においては、各ブリッジ部を形成する円弧は全て外周方向に凸に配列されていることを想定しているが、本発明においては必ずしもこのように配列する必要はなく、例えば、図５（ｂ）に示される第１０実施形態のブリッジ部４０ｋに示すように、内周向きに凸に形成してもよく、またこれらを組み合わせて、一部を外周向きに、他に一部を内周向きに形成してもよい。
【００４６】
図５（ｃ）は、ジグザグ状に形成された第１１実施形態のブリッジ部４０ｍを表している。これら第９〜第１１実施形態のブリッジ部４０ｊ〜４０ｍは、その形状からも明らかなように上下方向衝撃応力に対する緩衝材と作用して、特に打栓時の衝撃応力による破断を防止するのに有効である。
【００４７】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うキャップ及び容器もまた本発明の技術的範囲に包含されるものとして理解されなければならない。以下に示す変形例は、当然に本願発明の技術的範囲に包含されるものである。
（変形例）
１．本発明において、全てのブリッジ部４０を最短経路より長い経路に沿って形成する必要はない。一部を最短経路より長い経路に沿って形成し、他を最短経路に沿って形成してもよい。またこれらの比率を所定の割合に設定して、開封時の破断しやすさと、開封時以前の破断しにくさとのバランスを調整することもできる。
２．第３及び第４実施形態において、ブリッジ部は全て内周側から外周側向き、又は外周側から内周側向きとしたが、本発明はこれに限定されるものではなく、一部を内周側向き、他の一部を外周側向きに構成してもよい。このようにすることにより径方向の衝撃応力と上下方向の衝撃応力に対し同時にクッション的な作用を働かせることができる。
３．上記各実施形態において、外蓋本体と下部スカート部とを結ぶ最短経路に対する傾斜として、スカート部２６の筒形状の円周接線方向に関する傾斜（第１、２、５〜８実施形態）と、径方向に関する傾斜（第３、４、９〜１１実施形態）とに分けて説明したが、本発明はこれらに限定されるものではなく、両方向の傾斜を適宜組み合わせて構成しても良い。
【００４８】
【発明の効果】
以上に説明したように、本発明の第１の態様である、円筒形の口部を有するボトルに使用され、ボトルの口部に挿嵌される内蓋とその内蓋を覆う形状を備えた外蓋とが組み合わされたタンパープルーフ型のキャップであって、内蓋はその外周面に雄ねじ形状と、外方に突出する内蓋係止部とを備え、外蓋は雄ねじ形状と螺合するように形成された外蓋本体と、外蓋本体に複数のブリッジ部を介して取り付けられたタンパープルーフエビデンスバンドとを備え、タンパープルーフエビデンスバンドの内周面には、開封時に内蓋係止部に位置的干渉が生じるように形成された外蓋係止部が設けられ、複数のブリッジ部のうち少なくとも一部は外蓋本体とタンパープルーフエビデンスバンドとを結ぶ最短経路より長い経路に沿って形成されていることを特徴とするキャップによれば、複数のブリッジ部のうち少なくとも一部は、外蓋本体とタンパープルーフエビデンスバンドとを、両者間の最短距離の経路ではなく、それより長い経路に沿って連結しているので、外蓋本体とタンパープルーフエビデンスバンドとの間の距離を引き離す方向、及び押し縮める方向の衝撃、あるいは両者を前記軸線の周り互いに反対方向に剪断する衝撃に対して、最短距離より長く構成されたブリッジ部が衝撃の応力を分散吸収する作用を奏する。すなわち外蓋本体とタンパープルーフエビデンスバンドとの間の破断が未然に防止され、タンパープルーフ機能を備えた商品の商品価値を保つことができる。
【００４９】
上記態様において、複数のブリッジ部のうち少なくとも一部を、外蓋本体とタンパープルーフエビデンスバンドとを結ぶ最短経路に対して傾斜をもって形成した場合、組み合わせ工程や打栓工程においては、ブリッジ部が衝撃を和らげるクッションとして働くので、ブリッジ部が破断されにくい。
【００５０】
また、上記態様において、複数のブリッジ部のうち少なくとも一部を組み合わせ工程の外蓋本体回転方向に傾けて設けた場合、組み合わせ工程や打栓工程においては、ブリッジ部が衝撃を和らげるクッションとして働くので、ブリッジ部が破断されにくい。また、組み合わせ工程においては、ブリッジ部には伸びる方向の応力がかかるが、外蓋本体とタンパープルーフエビデンスバンドとを結ぶ最短距離の経路にブリッジ部を配設した場合に比較して、ブリッジ部が長く形成されているので伸びに対する余裕があり、破断されにくい。
【００５１】
また、上記態様において、複数のブリッジ部のうち少なくとも一部を組み合わせ工程の外蓋本体回転方向とは逆の方向に傾けて設けた場合にも、組み合わせ工程や打栓工程においては、ブリッジ部が衝撃を和らげるクッションとして働く。したがってブリッジ部の破断がされにくい。特に組み合わせ工程においては、ブリッジ部は縮む方向の力を受けることになるので、破断されにくい。
【００５２】
更に、上記態様において、複数のブリッジ部のうち少なくとも一部を外蓋本体の内周側からタンパープルーフエビデンスバンドの外周側の方向に傾けて設け、あるいは、ブリッジ部は外蓋本体の外周側からタンパープルーフエビデンスバンドの内周側の方向に傾けて設た場合にも、組み合わせ工程や打栓工程において、ブリッジ部が衝撃を和らげるクッションとして働くのでブリッジ部が破断されにくい。特に打栓工程において加わる衝撃に対して、応力が径方向及び上下方向のみに分散されて周方向に分散されることが無いので緩衝能力が高く、ブリッジ部の破断がより発生しにくい。
【００５３】
更に上記の諸態様において、各ブリッジ部の少なくとも一部分を湾曲する形状に形成すると、個々のブリッジ部に形成された湾曲部も衝撃を吸収することができるので、上記諸態様の構成による衝撃吸収効果と相俟って、更に衝撃を和らげてブリッジ部の破断を未然に防止することができる。
【００５４】
また、ブリッジ部を挟んで外蓋本体とタンパープルーフエビデンスバンドとが互いに対向する部分に、タンパープルーフエビデンスバンドの周方向接線に対して、外蓋本体とタンパープルーフエビデンスバンドとを結ぶ最短経路の方向に角度を有する斜行部を設け、ブリッジ部が外蓋本体に取り付けられている部分はブリッジ部がタンパープルーフエビデンスバンドに取り付けられている部分より細く形成した場合には、ブリッジ部はより細く形成された外蓋本体側で破断されるので、需要者による開封時の操作をより円滑なものとすることができる。
【図面の簡単な説明】
【図１】ボトルの口部に取り付けられたキャップを示し、中心線をはさんで左側は正面図、右側は直径を通る平面による垂直断面図である。
【図２】ブリッジ部の態様を模式的に示す斜視図である。
【図３】ブリッジ部の他の態様を模式的に示す斜視図である
【図４】ブリッジ部の他の変形例を模式的に示す図である。
【図５】ブリッジ部のさらに他の変形例を模式的に示す図である。
【符号の説明】
Ｂ　ボトル
Ｃ　キャップ
１　容器
５　口部
２　外蓋
３　内蓋
２１　雌ねじ形状
２５　外蓋本体
２６　スカート部
２６ｂ　下部スカート部（タンパープルーフエビデンスバンド）
２７　係止リング（外蓋係止部）
３１　雄ねじ形状
３２　ストッパリング（内蓋係止部）
４０　ブリッジ部
【図１】
2004067175.tif 000003
【図２】
2004067175.tif 000004
【図３】
2004067175.tif 000005
【図４】
2004067175.tif 000006
【図５】
2004067175.tif 000007